(57)【要約】本発明は、特に、シャシー内に設けられる部材のジョイント接続のための、接続要素（１，３０）の製造のための方法であって、その際、接続要素（１，３０）が、プロフィル要素（６，３１）によって形成され、プロフィル要素は、ジョイント部材（５）の収容のためのジョイント部分（２）、中央部分（４）、および接続部分（３）を有する方法に関する。発明に従い、プロフィル要素（６、３１）が、少なくとも一つの第一のプロフィル部分（７，３２）と、少なくとも一つの第二のプロフィル部分（８，３３）の配置によって形成され、これらが、少なくとも一つの固定要素（９，１０）によって形状結合によりそれら自身の位置に保持されること、形成されるジョイント部分（２）内に、ジョイント部材（５）が挿入されること、および、プロフィル要素（６，３１）とジョイント部材（５）が部分的にプラスチックでオーバーモールドされることが提案される。
2020519528.tif 000002
【特許請求の範囲】
【請求項１】
特に、シャシー内に設けられる部材のジョイント接続のための、接続要素（１，３０）の製造のための方法であって、その際、接続要素（１，３０）が、プロフィル要素（６，３１）によって形成され、プロフィル要素は、ジョイント部材（５）の収容のためのジョイント部分（２）、中央部分（４）、および接続部分（３）を有する方法において、プロフィル要素（６、３１）が、少なくとも一つの第一のプロフィル部分（７，３２）と、少なくとも一つの第二のプロフィル部分（８，３３）の配置によって形成され、これらが、少なくとも一つの固定要素（９，１０）によって形状結合によりそれら自身の位置に保持されること、形成されるジョイント部分（２）内に、ジョイント部材（５）が挿入されること、および、プロフィル要素（６，３１）とジョイント部材（５）が部分的にプラスチックでオーバーモールドされることを特徴とする方法。
【請求項２】
オーバーモールド成の前に、プロフィル要素（６，３１）の接続部分（３）と中央部分（４）を定義する、少なくとも一つの第一および第二のプロフィル部分（７，３２；８，３３）の領域において、コア（１６）が、第一のプロフィル部分（７，３２）と第二のプロフィル部分（８，３３）の間に内置されることを特徴とする請求項１に記載の方法。
【請求項３】
少なくとも一つの第一のプロフィル部分（７，３２）と少なくとも一つの第二のプロフィル部分（８，３３）が、金属から、又はオーバーモールドに使用されるプラスチック材料と異なるプラスチック材料から製造されることを特徴とする請求項１または２に記載の方法。
【請求項４】
プロフィル要素（６，３１）が、繊維強化プラスチックによってオーバーモールドされることを特徴とする請求項１から３のいずれか一項に記載の方法。
【請求項５】
少なくとも一つの第一のプロフィル部分（７，３２）と少なくとも一つの第二のプロフィル部分（８，３２）が、分割製造方法によって製造されることを特徴とする請求項１から４のいずれか一項に記載の方法。
【請求項６】
少なくとも一つの第一のプロフィル部分（７，３２）と少なくとも一つの第二のプロフィル部分（８，３３）が、トランスファーモールドによって製造されることを特徴とする請求項１から４のいずれか一項に記載の方法。
【請求項７】
少なくとも一つの固定要素（９，１０）が、少なくとも一つの第一のプロフィル部分（７，３２）と、少なくとも一つの第二のプロフィル部分（８，３３）上にプレスオンされることを特徴とする請求項１から６のいずれか一項に記載の方法。
【請求項８】
特に、シャシー内に設けられる部材のジョイント接続のための、接続要素（１，３０）であって、その際、接続要素（１，３０）が、プロフィル要素（６，３１）を有し、プロフィル要素は、ジョイント部材（５）の収容のためのジョイント部分（２）、中央部分（４）、および接続部分（３）を有するものにおいて、プロフィル要素（６、３１）が、少なくとも一つの第一のプロフィル部分（７，３２）と、少なくとも一つの第二のプロフィル部分（８，３３）の配置によって形成されており、その際、少なくとも一つの固定要素（９，１０）が、形状結合により少なくとも一つの第一の固定要素（７，３２）および少なくとも一つの第二の固定要素（８，３３）を、それら自身の位置に保持すること、プロフィル要素（６，３１）のジョイント部分（２）によってジョイント部材（５）が収容されていること、およびプロフィル要素（６，３１）とジョイント部分（２）内に収容されるジョイント部材（５）が部分的に、射出鋳造方法でもたらされるプラスチック相によって取り囲まれていることを特徴とする接続要素（１，３０）。
【請求項９】
少なくとも一つの第一のプロフィル部分（７，３２）と、少なくとも一つの第二のプロフィル部分（８，３３）が、ハーフシェル形状に形成されていることを特徴とする請求項８に記載の接続要素（１，３０）。
【請求項１０】
接続要素（１，３０）が、タイロッドアウタージョイントとして、又はコントロールアームとして形成されていることを特徴とする請求項８または９に記載の接続要素（１，３０）。
【請求項１１】
ジョイント部材（５）が、ボールジョイント（１１）として、又はボールスタッド（１４）として形成されていることを特徴とする請求項８から１０のいずれか一項に記載の接続要素（１，３０）。
【請求項１２】
接続要素（１，３０）が、更に請求項２から７の一項、又は複数項に記載の方法に従い形成されていることを特徴とする請求項８から１０のいずれか一項に記載の接続要素（１，３０）。
【発明の詳細な説明】
【技術分野】
【０００１】
本発明は、接続要素、特にシャシー内に設けられる部材のジョイント接続のための接続要素の製造のための方法に関する。その際、接続要素はプロフィル要素から形成され、プロフィル要素は、ジョイント部材の収容のためのジョイント部分、中央部分、および接続部分を有する。
【０００２】
更に本発明は、接続要素、特にシャシー内に設けられる部材のジョイント接続のための接続要素に関する。その際、接続要素は、部分的にシリンダー状のプロフィル要素を有し、プロフィル要素は、ジョイント部材の収容のためのジョイント部分、中央部分、および接続部分を有する。
【背景技術】
【０００３】
タイロッドは、ステアリングのラックを、車両のホイールキャリアと接続する。総舵輪に加えられるステアリング動作を車輪に導くためである。タイロッドには、端部側に接続要素が設けられている。これらは、車輪の空間的動作の補償に使用される。これら動作は、車輪の弾む動作によって操舵軸に対して並行に引き起こされるものである。接続要素は、それらの一方の端部にジョイント部分を有する。これによってジョイント部材が収容される。他方の端部の接続部分は、接続部分に設けられる内部ねじによって、タイロッドの長手方向調整可能な配置に使用される。
【０００４】
接続要素は、一般的に一部材式の金属部材として形成されている。金属からなる接続要素の本質的なデメリットは、これらは重量が高く、少なくとも追加的な後処理を製造の枠内で必要とし、そして更に腐食に対する措置をとる必要があるということである。高い重量は、その際、ばね下重量の割合を増加させ、それは、走行特性に関してネガティブに作用し、そして各車両の燃料消費にもネガティブに作用する。この理由から、接続要素は、ハイブリッド構造、つまり金属の材料とプラスチック材料の組み合わせで製造されることが増えている。特許文献１から、車両のタイロッド装置のためのジョイントハウジングとして形成されて接続要素が公知である。ジョイントハウジングは、プラスチックから製造された部分的にシリンダー状のボディを有する。これは、ジョイント部材の収容のためのジョイント部分、中央部分、および接続部分を有する。プラスチックからなるボディ内には、鋼からなる個々の内置部材は互いに間隔をあけている。これら内置部材は、射出形成法におけるボディの製造の為、前もＴＴ、対応する射出形成ツール内に、個々に位置決めされる必要があり、よってこれらは、プラスチックに取り囲まれる。ジョイント部分、中央部分、および接続部分は、内置部材のオーバーモールドの途中で初めて形成される。
【０００５】
上述した先行技術から出発して、本発明の課題は、ハイブリッド構造で製造される接続要素の製造プロセスを簡単にすることである。
【先行技術文献】
【特許文献】
【０００６】
【特許文献１】ドイツ連邦共和国特許出願公開第１０  ２００８  ０４９  ９４６  Ａ１号公報
【発明の概要】
【発明が解決しようとする課題】
【０００７】
この課題は、方法技術的な観点から、請求項１の上位概念から出発し、その特徴部分と関連して解決される。装置技術的な観点から、課題の解決は、請求項８の上位概念から出発して、その特徴部分と関連して課題の解決が行われる。これらに続く各従属請求項は、それぞれ発明の有利な発展形を表している。
【課題を解決するための手段】
【０００８】
発明に従い、方法において、接続要素が製造される。その際、接続要素はプロフィル要素によって形成される。接続要素のプロフィル要素は、ジョイント部材の収容のためのジョイント部分、中央部分、および接続部分を有する。
【０００９】
本発明は、プロフィル要素が、少なくとも一つの第一のプロフィル部分と、少なくとも一つの第二のプロフィル部分の配置によって形成され、これらが、少なくとも一つの固定要素によって形状結合により、その位置に保持され、形成されるジョイント部分内にジョイント部材が挿入され、そしてプロフィル要素とジョイント部材が部分的にプラスチックによりオーバーモールドされるという技術的教義を含む。発明に係る方法は、シャシーコンポーネントのハイブリッド構造の発展を意味する。ここで、第一の製造ステップにおいて複数の金属部材が形状結合によって互いに接続されるので、これらは一つのユニットを形成する。この安定させられたユニットは、簡単に取り扱うことが可能である。これに続いて、金属部材から形成されるユニットが、一つのツール内に内置され、そして部分的にプラスチックでオーバーモールドされる。特に、ユニットとしてまとめられた複数の金属部材の搬送と内置は、オーバーモールドの製造ステップを簡単にする。著しく自動化されることが可能だからである。発明に係る方法のさらなる簡易化は、少なくとも一つの第一のプロフィル部分と、少なくとも一つの第二のプロフィル部分が同じ部材として形成されていることによって図られることが可能である。これによって、その製造のための製造コストが、著しく減少されることが可能である。更に、少なくとも一つの第一のプロフィル部分と少なくとも一つの第二のプロフィル部分を同じ部材として形成することは、プロフィル要素を形成するためのそれらの配置を簡単にする。これらが互いに鏡像的に位置決めされることができるからである。
【００１０】
これに対して、特許文献１から公知のジョイントハウジングは、個々の部材（これらからジョイントハウジングがまとめられる）が、オーバーモールドによってはじめてツール内で互いに接続され、このことは、ツール内での個々の部材の正確な配置を必要とする。これは時間がかかり、そして自動化が少なくとも困難である。
【００１１】
よって、発明に係る方法によって、ジョイント部分内のジョイント部材のような機能部材の位置決めの正確性が高められる。プロフィル要素は、少なくとも二つのプロフィル部分から形成され、それらをまとめることによって、特許文献１から公知のジョイントハウジングと異なり、すでにジョイント部分、中央部分、および接続部分が形成されるにも関わらず、ハイブリッド構造のメリット、低い重量と、安価な製造は維持される。
【００１２】
よって、オーバーモールドの前に、プロフィル要素の接続部分と中央部分を定義する、少なくとも一つの第一および第二のプロフィル部分の領域において、コアが、第一のプロフィル部分と第二のプロフィル部分の間に内置されることが可能である。これは、タイロッドの軸方向の調整のための内部ねじを有することが可能である、接続要素の接続部分を、オーバーモールドの後使用することができるために、メリットである。
【００１３】
本発明の一つの実施形に従い、少なくとも一つの第一のプロフィル部分と、少なくとも一つの第二のプロフィル部分が、金属から、又はオーバーモールドに使用されるプラスチック材料と異なるプラスチック材料から製造されることが可能である。第一のプロフィル部分と第二のプロフィル部分の金属からの製造の際、好ましくは鋼又はアルミニウムが使用される。第一のプロフィル部分と第二のプロフィル部分のプラスチック材料からの製造の際、好ましくは高硬度のプラスチックが使用される。第一のプロフフィル部分と第二のプロフィル部分は、ハーフシェル形状の部分を有する。これに、ベントした部分が続いている。ベントした部分は、ハーフシェル形状の部分をリング形状の部分と接続する。両方のプロフィル部分の鏡像対称的な形成は、その製造を簡単とする。その形状が同じだからである。その際、両方のプロフィル部分は、二つの部材からなっている、又は一部品式に形成されていることが可能である。一部品式の形成の場合、両方のプロフィル部分は、その製造の後、その互いに対向するリング形状の部分においてウェブによって互いに接続されている。
【００１４】
二部品式の形成の場合、両方のプロフィル部分は、その製造の後、その対向するリング形状の部分において、特に両方のプロフィル部分、及び／又は半製品の前側の領域において、形状結合的な接続によって互いに接続されていることが可能である。ここで、形状結合的な接続に基づいて、ウェブ上の接続構造が実現されていることが可能である。その際、一部品式の形成と比較して、より小さな、及び／又はより簡単なツールが、プロフィル部分の製造の為に使用されることが可能であることはメリットである。同時に、両方のプロフィル部分の組立におけるウェブ状の接続構造は、一部品式の形成と互いに比較可能な程度、力の伝達、又は力を伝えることを可能とする。好ましくは、第一のプロフィル部分は第一の形状結合要素、そして第二のプロフィル部分は第二の形状結合要素を有する。両方の形状結合要素は、互いに対応して形成されており、両方の形状結合要素の形状結合を互いに形成することを可能とする。特に、両方の形状結合要素は、其々、ウェブ状の突起部として各リング形状の部分に形成されている。好ましくは、形状結合要素は、各リング形状の部分に対して、又はリング形状の部分が存在する平面に対して横断するよう、又は直角に向けられている。特に形状結合要素は、互いに向かい合っている。例えば、両方の形状結合要素は、パズル状の接続を実現することが可能である。そこでは一方の形状結合要素のノーズが、これに対応するよう形成されたノーズ収容部内へと係合する。
【００１５】
接続要素の高い強度を達成するために、プロフィル要素は、繊維強化プラスチックによりオーバーモールドされることが可能である。その際、繊維として、カーボン、グラス、アラミド、バサルト等、異なる繊維タイプが使用されることが可能である。
【００１６】
発明の別の形成可能性に相応して、少なくとも一つの第一のプロフィル部分と少なくとも一つの第二のプロフィル部分が、分離製造方法によって製造される。その際、パンチ、又はレーザー切断は、好ましい製造方法である可能性がある。これら製造方法は、第一のプロフィル部分と第二のプロフィル部分の多量な数量での安価な製造を可能とする。特に同じ部材としての形成の際にそうである。
【００１７】
分離する製造方法の代替として、少なくとも一つの第一のプロフィル部分と少なくとも一つの第二のプロフィル部分が、トランスファーモールドによって製造されることが可能である。
【００１８】
少なくとも一つの固定要素が、少なくとも一つの第一のプロフィル部分と、少なくとも一つの第二のプロフィル部分上にプレスオンされることは、本発明の別の実施形である。プロフィル要素の部分的な回転対称形に基づいて、少なくとも一つの固定要素は、接続部分から押し上げられ、そしてジョイント部分に隣接する領域において中央部分上にプレスオンされる。接続部分上で端部側に設けられる別の固定要素をプレスオンすることも考えられる。第二の固定要素は、両方のプロフィル部分がコアの挿入の際に互いに押し合い、又はプロフィル部分が互いにずらされ合うのを防止することができる。更に、接続部分上で端部側に設けられる外側のカバー面が、ツールのための係合面を有していることが可能である。
【００１９】
更に課題の解決の為、接続要素、特にシャシー内に設けられる部材のジョイント接続のための接続要素が要求される。その際、接続要素は、プロフィル要素を有し、このプロフィル要素は、ジョイント部材の収容のためのジョイント部分、中央部分、および接続部分を有する。その際、プロフィル要素は、少なくとも一つの第一のプロフィル部分と少なくとも一つの第二のプロフィル部分の配置によって形成されており、その際、少なくとも一つの固定要素が、形状結合によって少なくとも一つの第一のプロフィル部分と少なくとも一つの第二のプロフィル部分を、その位置に保持する。更に、プロフィル要素のジョイント部分によってジョイント部材は収容されている。その際、プロフィル要素と、ジョイント部分内に収容されるジョイント部材は、部分的に射出形成法によってもたらされるプラスチック層によって部分的に取り囲まれている。
【００２０】
発明に従い形成された接続要素は、解くんい、車両の車輪懸架部の部材であり、そしてタイロッドアウタージョイントとして、又はコントロールアームとして形成されている。
【００２１】
本発明は、従属請求項、又はこれに従属する請求項の上述した組み合わせに制限されない。更に、個々の特徴は、請求項、以下の本発明の好ましい実施形の説明、又は図面から直接読み取れる限り、互いに組み合わせる可能性がある。参照符号の使用による図面への請求項の参照は、請求項の保護範囲を制限しない。
【００２２】
本発明の有利な実施形は、以下に説明され、図面に表わされている。
【図面の簡単な説明】
【００２３】
【図１】接続要素の斜視図
【図２ａ】第一のプロフィル部分の略図を斜視図にて示す図
【図２ｂ】第一のプロフィル部分と第二のプロフィル部分の簡略図
【図２ｃ】第一のプロフィル部分と第二のプロフィル部分と第一の固定要素の簡略図
【図２ｄ】第一のプロフィル部分と第二のプロフィル部分と第二の固定要素の簡略図
【図２ｅ】第一のプロフィル部分と第二のプロフィル部分から形成されるプロフィル要素と、ジョイント部材５の簡略図
【図２ｆ】図２ｅに従うプロフィル要素とプラスチックカバーの簡略図
【図３】第二の実施形に従う接続要素の簡略図
【図４ａ】半製品の簡略図を斜視図にて示す図
【図４ｂ】第一のプロフィル部分と第二のプロフィル部分の簡略図
【図４ｃ】第一のプロフィル部分と第二のプロフィル部分と第一の固定要素の簡略図
【図４ｄ】第一のプロフィル部分と第二のプロフィル部分と第二の固定要素の簡略図
【図４ｅ】第一のプロフィル部分と第二のプロフィル部分から形成されるプロフィル要素と、ジョイント部材の簡略図
【図４ｆ】図４ｅに従うプロフィル要素とプラスチックカバーの簡略図
【発明を実施するための形態】
【００２４】
図１は、タイロッドアウタージョイントとして形成された接続要素を簡略図にて表わす。接続要素１は、複数の部分に分割される。つまり、ジョイント部分２、接続部分３、および中央部分４である。中央部分は、ジョイント部分２と接続部分３を互いに接続している。ジョイント部分２は、ジョイント部材５の収容に使用される一方で、接続部分３は、図示されないタイロッドにおける長さ調整可能な配置に使用される。
【００２５】
接続要素１は、部分的にシリンダー状のプロファイル要素６によって形成される。プロファイル要素６は、少なくとも一つの第一のプロファイル部分７と少なくとも一つの第二のプロファイル部分８を有する。第一のプロファイル部分７と第二のプロファイル部分８は、其々部分的にハーフシェル形状に形成されており、そして互いに鏡像的に配置されている。プロファイル要素６を形成する両方のプロファイル部分７および８は、表わされた実施例においては独立した二つの半製品として形成されている。中央部分４には、第一の固定要素９が配置されている。第一の固定要素９は、基本的にリング形状に形成されている。接続部分３には、第二の固定要素１０が配置されている。第二の固定要素１０は、同様に、基本的にリング形状に形成されている。第一および第二の固定要素９および１０の内部輪郭は、プロフィル要素６の外部輪郭に合わせられているので、第一のプロフィル部分７と第二のプロフィル部分８は、形状結合によってそれらの位置に保持される。
【００２６】
ジョイント部分２は、ジョイント部材５を収容する。ジョイント部材は、ボールジョイント１１として形成されている。ボールジョイント１１は、ハウジング１２、その中に配置されるボールシェル１３、およびボールシェル１３中に支承されるボールスタッド１４を有している。
【００２７】
プロフィル要素１６とボールジョイント１１のハウジング１２は、部分的にプラスチックカバー１５によって取り囲まれている。図から見て取れるように、ボール品１４が突き出しているハウジング１２の開口部はカバーされていない。接続部分３上に配置された第二の固定要素１０は、同様に部分的にカバーされている。第二の固定要素１０の外側のカバー面が、ツールのための係合面として形成されているからである。部分的にハーフシェル形状のプロフィル部分７および８によって形成されているプロフィル要素６の中空空間内には、取り出し可能なコア１６が配置されている。
【００２８】
図２ａから２ｆには、接続要素１の製造方法の流れが詳細に説明される。
【００２９】
図２ａには、半製品２１として形成される第一のプロフィル部分７が簡略的に斜視図にて表わされている。第一のプロフィル部分７は、ハーフシェル形状の部分１７を有する。これは、リング形状で平らなセグメント１９とベントした部分１８によって接続されている。第一のプロフィル部分７は、分割製造方法によって、例えばパンチやレーザー光線切断によって製造される。第二のプロフィル部分８は、同じ形で、そして同じ方法で製造されている。
【００３０】
図２ｂには、第一のプロフィル部分７と第二のプロフィル部分８の簡略図が表わされている。両方のプロフィル部分７および８は、第一の方法ステップにおいて互いに鏡像的に設けられる。両方の各ハーフシェル形状の部分２０は、接続部分３と中央部分４を形成する。これはベントした部分１８内へと開口している。両方のプロフィル部分７および８の互いに一列に並ぶリング形状の平らなセグメント１９は、ジョイント部分２を形成する。これは、ジョイント部材５を後に収容するために使用される。
【００３１】
図２ｃには、第一のプロフィル部分７および第二のプロフィル部分８の簡略図が、その上に設けられる第一の固定要素９と共に示されている。リング形状に形成された第一の固定要素９は、接続部分３からプロフィル要素６の中央部分４上へとスライドされる。第一の固定要素９の内部輪郭は、中央部分４の外部輪郭に合わせられているので、形状結合が形成される。第一のプロフィル部分７および第二のプロフィル部分８の互いに向かい合ったベントした部分１８の領域には、第一の固定要素７がプレスオンされており、これによって位置的に中央部分４上に固定される。
【００３２】
図２ｄは、第一のプロフィル部分７と第二のプロフィル部分８が第二の固定要素１０と共に簡略図にて表わされている。第二の固定要素１０は、同様にリング形状に形成されており、そして端部側で接続部分３にプレスオンされている。第二の固定要素１０は、その周囲に、少なくとも二つのツール係合面２０を有する。
【００３３】
図２ｅは、第一のプロフィル部分７と第二のプロフィル部分８から形成されるプロフィル要素６と、ボール部分２内に設けられているジョイント部材５の簡略図を示す。この製造ステップの後、接続要素１の全ての個々のコンポーネントが、これら個々のコンポーネントが唯一の安定したユニット２２として取り扱われることが可能であるように互いに接続される。第一のプロフィル部分７と第二のプロフィル部分８の間に形成された中空空間中には、コア１６が内置される。これによって、後の接続要素１の使用の際に提供されなければならない空間がフリーに保たれる。ユニット２２は、射出鋳型内に内置され、そして部分的にプラスチックによってオーバーモールドされるので、図２ｆに表わされているように、ユニット２２は部分的にかぶせられるプラスチックカバー１５を形成する。完成した接続要素１は、一体に金属から製造される比較可能な接続要素よりも安価で、そしてより少ない重量を有する。特許文献１に従う先行技術から公知の方法（この方法に従っては、プラスチックからなるボディ内に鋼からなる個々の内置部品（このためこれらは射出鋳型内に内置される必要がある）が埋め込まれる）に対して、安定した結合体として形成されたユニット２２の取り扱い性はより簡単である。ユニットの個々のコンポーネントは、射出鋳型内への取込みの前に既に互いに位置決めされる。
【００３４】
図３の図は、第二の実施形に従う接続要素３０の簡略図を示す。第一の実施形に従う接続要素１と同じ部材に対して、相応する符号が維持される。
【００３５】
接続要素３０は、部分的にシリンダー状のプロファイル要素３１によって形成される。プロファイル要素３１は、一つの第一のプロファイル部分３２と少なくとも一つの第二のプロファイル部分３３を有する。第一のプロファイル部分３２と第二のプロファイル部分３２は、其々部分的にハーフシェル形状に形成されており、そして互いに鏡像的に配置されている。ジョイント部分２の前の領域においては、両方のプロフィル部分３２および３３がウェブ３４によって互いに接続されている。プロファイル要素３１を形成する第一第一のプロファイル部分３２と第二のプロフィル部分び３３は、表わされた実施例においては個々の半製品として形成されている。
【００３６】
代替として、ウェブ３４は、二部品式に形成されていることも可能である。よって、第一のプロフィル部分３２と第二のプロフィル部分３３は、其々一つのウェブ状の形状結合要素を有する。これらは、形状結合を形成するため互いに対応して形成されている。
【００３７】
図４ａは、半製品３５の簡略図を斜視図にて示す。半製品３５は、第一のプロフィル部分３２を有し、そしてウェブ３４によってこれと接続される第二のプロフィル部分３３を有している。第一のステップにおいては半製品３５は曲げによって変形させられる。その際、第一のプロフィル部分３２と第二のプロフィル部分３３は、図４ｂに表わされているように、互いに鏡像的に設けられている。ウェブ３４は、両方のプロフィル部分３２および３３の変形の後は、基本的に直角にこれらの間に延びている。
【００３８】
図４ｃには、第一のプロフィル部分３２と第二のプロフィル部分３３の簡略図が、プロフィル要素３１の中央部分４上に押し上げられた第一の固定要素９と共に表わされている。既に上に説明したように、両方のプロフィル部分３２および３３に合わせられた第一の固定要素９の内側のカバー面の形状によって、形状結合的な接続が生じる。固定要素１０は、プロフィル要素３１にプレスオンされている。
【００３９】
図４ｄには、第一のプロフィル部分３１と第二のプロフィル部分３３の簡略図が、プロフィル要素３１の接続部分３上に押し上げられた第二の固定要素９と共に表わされている。その周囲に少なくとも二つのツール係合面２０を有する固定要素１０は、プロフィル要素３１上にプレスオンされている。
【００４０】
図４は、第一のプロフィル部分３２と第二のプロフィル部分３３から形成されるプロフィル要素３１と、ボール品１４として形成されているジョイント部材５の簡略図を示す。ボール品４のボールは、両方のリング形状の平らなセグメントによって保持されている。中空シリンダー形状の中央部分４内には、コア１６が内置されている。安定した結合体からなるユニット２２が、射出形成ツール中に内置されており、部分的にプラスチックとともにオーバーモールドされるので、プラスチックカバー１５が形成される。
【００４１】
図４ｆは、図４ｅに従うプロフィル要素３１とプラスチックカバー１５の簡略図を示す。プラスチックカバー１５は、ジョイント部分２の領域に、ボール品１４のボールのためのハウジングを形成する。
プロフィル要素６または３１をオーバーモールドするため、プラスチック、又は線維強化プラスチックが使用される。相応して、接続要素１または３０を製造するための射出方法は、互いに異なっている。
【００４２】
発展形では、プロフィル要素６または３１は、例えば鋼、又はアルミニウムのような金属から製造されることに代えて、プラスチックから製造されることも意図されている。その際、少なくとも、プロフィル要素６または３１の為に使用されるプラスチックは、プロフィル要素６または３１のオーバーモールドの為に使用されるものと異なっている。特に、プロフィル要素６または３１の為に高硬度のプラスチックが使用される。
【符号の説明】
【００４３】
１  接続要素
２  ジョイント部分
３  接続部分
４  中央部分
５  ジョイント部材
６  プロフィル要素
７  第一のプロフィル部分
８  第二のプロフィル部分
９  第一の固定要素
１０  第二の固定要素
１１  ボールジョイント
１２  ハウジング
１３  ボールシェル
１４  ボールスタッド
１５  プラスチックカバー
１６  コア
１７  ハーフシェル形状の部分
１８  ベントした部分
１９  リング形状のセグメント
２０  ツール係合面
２１  半製品
２２  ユニット
２３  接続要素
３１  プロフィル要素
３２  第一のプロフィル部分
３３  第二のプロフィル部分
３４  ウェブ
３５  半製品
【図１】
2020519528.tif 000003
【図２ａ】
2020519528.tif 000004
【図２ｂ】
2020519528.tif 000005
【図２ｃ】
2020519528.tif 000006
【図２ｄ】
2020519528.tif 000007
【図２ｅ】
2020519528.tif 000008
【図２ｆ】
2020519528.tif 000009
【図３】
2020519528.tif 000010
【図４ａ】
2020519528.tif 000011
【図４ｂ】
2020519528.tif 000012
【図４ｃ】
2020519528.tif 000013
【図４ｄ】
2020519528.tif 000014
【図４ｅ】
2020519528.tif 000015
【図４ｆ】
2020519528.tif 000016
【国際調査報告】
2020519528.tif 000017
2020519528.tif 000018
2020519528.tif 000019
2020519528.tif 000020
2020519528.tif 000021
2020519528.tif 000022